(57)【要約】【課題】簡易なシステム構成で、２線式の伝送路による逆光補正を可能とするテレビインターホン装置を提供する。【解決手段】本発明のテレビインターホン装置は、玄関子機１と居室親機２とが伝送路Ｌで接続され、玄関子機１に内蔵されるカメラ１４で撮像した映像を映像表示装置２４で表示するテレビインターホン装置において、居室親機２は、伝送路Ｌの極性を反転する極性反転回路２７と、呼出時またはモニタ時に玄関子機１のカメラ１４で撮像された映像が見難い場合に押下する逆光補正ボタン３２と、逆光補正ボタン３２が押下されたことを検出して極性反転回路２７を反転制御することにより、玄関子機１でカメラ１４の露出補正を行なう居室親機ＣＰＵ２９とを備えている。【選択図】図１
2009225230.tif 000002
【特許請求の範囲】
【請求項１】
来訪者が居住者を呼び出すための呼出ボタン、前記来訪者が前記居住者と通話するための子機マイクおよび子機スピーカを有する玄関子機と、前記玄関子機からの呼び出しに応じて前記来訪者と通話するための親機マイクおよび親機スピーカを有する居室親機とが伝送路で接続され、前記玄関子機に内蔵されるカメラで撮像した映像を映像送信回路および映像受信回路を介して映像表示装置で表示するテレビインターホン装置において、
前記居室親機は、前記伝送路の極性を反転するための極性反転回路と、呼出時またはモニタ時に前記玄関子機のカメラで撮像された映像を前記映像表示装置で確認したとき見難い場合に押下する逆光補正ボタンと、前記逆光補正ボタンが押下されたことを検出して前記カメラの露出補正をするため、前記極性反転回路を制御して前記伝送路の極性を反転することにより、前記玄関子機で前記極性の反転を前記カメラの露出補正をするための露出制御信号として検出させる制御を行なう居室親機ＣＰＵとを備えることを特徴とするテレビインターホン装置。
【請求項２】
前記玄関子機は、前記伝送路に流れる電流を監視し、極性が反転されたことを検出するための極性反転検出回路と、前記極性反転検出回路で極性が反転したことを認識し前記カメラに逆光補正信号を伝送するための逆光補正回路とを備えることを特徴とする請求項１記載のテレビインターホン装置。
【発明の詳細な説明】
【技術分野】
【０００１】
本発明はテレビインターホン装置に係り、特に、玄関子機と居室親機間を接続する２線式の伝送路の極性を反転することにより、映像表示装置に表示された映像を逆光補正することができるテレビインターホン装置に関する。
【背景技術】
【０００２】
従来から、この種のテレビインターホン装置として、来訪者が居住者を呼び出すための呼出ボタン、来訪者が居住者と通話するための子機マイクおよび子機スピーカを有する玄関子機と、玄関子機からの呼び出しに応じて来訪者と通話するための親機マイクおよび親機スピーカを有する居室親機とが伝送路で接続され、玄関子機に内蔵されるカメラで撮像した映像を映像送信回路および映像受信回路を介して映像表示装置に表示させるものが知られている。
【０００３】
また、このような構成のテレビインターホン装置においては、玄関子機のカメラで撮像された映像が太陽光により見難い場合には、居室親機側の操作により逆光補正をすることが行われている。
【０００４】
ところで、このような構成のテレビインターホン装置においては、居室親機側の操作で行う逆光補正を２線式の伝送路を介して玄関子機のカメラに伝送する手段としてパルスカウント方式が知られているが（例えば、特許文献１参照）、かかるパルスカウント方式においては、次のような難点があった。すなわち、居室親機側において、居室親機ＣＰＵからのパルス信号を音声・映像信号の周波数と干渉しない信号にして重畳させるため数キロＨｚのトーンバーストに変換する一方、玄関子機側においてはトーンバーストをフィルタで分離し、パルスに復調してパルスカウントして逆光補正信号として扱うため、居室親機や玄関子機の回路構成が複雑になり、ひいてはテレビインターホン装置が割高になるという難点があった。
【０００５】
【特許文献１】特開平５−２３６４７９号公報
【発明の開示】
【発明が解決しようとする課題】
【０００６】
本発明は、上述の難点を解消するためになされたもので、玄関子機と居室親機間を接続する２線式の伝送路の極性を反転することで、簡易なシステム構成により、２線式の伝送路による逆光補正を可能にしたテレビインターホン装置を提供することを目的としている。
【課題を解決するための手段】
【０００７】
本発明の第１の態様であるテレビインターホン装置は、来訪者が居住者を呼び出すための呼出ボタン、来訪者が居住者と通話するための子機マイクおよび子機スピーカを有する玄関子機と、玄関子機からの呼び出しに応じて来訪者と通話するための親機マイクおよび親機スピーカを有する居室親機とが伝送路で接続され、玄関子機に内蔵されるカメラで撮像した映像を映像送信回路および映像受信回路を介して映像表示装置で表示するテレビインターホン装置において、居室親機は、伝送路の極性を反転するための極性反転回路と、呼出時またはモニタ時に玄関子機のカメラで撮像された映像を映像表示装置で確認したとき見難い場合に押下する逆光補正ボタンと、逆光補正ボタンが押下されたことを検出してカメラの露出補正をするため、極性反転回路を制御して伝送路の極性を反転することにより、玄関子機で極性の反転をカメラの露出補正をするための露出制御信号として検出させる制御を行なう居室親機ＣＰＵとを備えるものである。
【０００８】
本発明の第２の態様は、第１の態様であるテレビインターホン装置において、玄関子機は、伝送路に流れる電流を監視し、極性が反転されたことを検出するための極性反転検出回路と、極性反転検出回路で極性が反転したことを認識しカメラに逆光補正信号を伝送するための逆光補正回路とを備えるものである。
【発明の効果】
【０００９】
本発明のテレビインターホン装置によれば、太陽光などにより玄関子機のカメラで撮像した映像が居室親機の映像表示装置で見難い場合に、リレーから成る簡易な構成の極性反転回路を制御することにより、玄関子機と居室親機間を接続する２線式の伝送路の極性を反転することができる。従って、本発明のテレビインターホン装置によれば、簡易なシステム構成で割安な逆光補正を可能とするテレビインターホン装置を提供することができる。
【発明を実施するための最良の形態】
【００１０】
以下、本発明のテレビインターホン装置を適用した最良の実施の形態例について、図面を参照して説明する。
【００１１】
図１は、本発明の実施例によるテレビインターホン装置のブロック図である。
【００１２】
本発明のテレビインターホン装置は、子機端子Ｔ１ａ、Ｔ１ｂを有する玄関子機１と、親機端子Ｔ２ａ、Ｔ２ｂを有する居室親機２とを備えており、子機端子Ｔ１ａと親機端子Ｔ２ａ間は伝送路Ｌａを介して、子機端子Ｔ１ｂと親機端子Ｔ２ｂ間は伝送路Ｌｂを介してそれぞれ接続されている。これにより、玄関子機１と居室親機２間は２線式の伝送路Ｌで接続されていることになる。
【００１３】
玄関子機１は、来訪者が居住者を呼び出すための呼出ボタン１１と、来訪者が居住者と通話するための子機マイク１２および子機スピーカ１３と、来訪者を撮像するためのカメラ１４と、カメラ１４で撮像された映像をＦＭ信号に変調して居室親機２へ伝送する映像送信回路１５と、伝送路Ｌに流れる電流を監視し、極性が反転されたことを検出するための極性反転検出回路１６と、極性反転検出回路１６で伝送路Ｌの極性が反転したことを認識しカメラ１４に逆光補正信号を伝送するための逆光補正回路１７と、各部（回路）に動作電源を供給するための子機電源回路１８と、子機通話回路１９と、４個のダイオードＤａ〜Ｄｄの組み合わせから構成されるダイオードブリッジＤＢと、コイルＬ１ａ、Ｌ１ｂおよび抵抗Ｒ３とを備えている。また、極性反転検出回路１６は、ダイオード（発光ダイオード）Ｄ１と受光トランジスタＴｒとで構成されるフォトカプラＰＣと、ダイオードＤ２、Ｄ３および抵抗Ｒ１、Ｒ２とを備えている。
【００１４】
ここで、呼出ボタン１１、子機マイク１２および子機スピーカ１３が接続された子機通話回路１９並びに子機電源回路１８は、後述するダイオードブリッジＤＢ、後述する極性反転検出回路１６およびコイルＬ１ａ、Ｌ１ｂを介して子機端子Ｔ１ａ、子機端子Ｔ１ｂに接続されている。また、カメラ１４は、映像送信回路１５および逆光補正回路１７に接続され、映像送信回路１５には子機端子Ｔ１ａ、Ｔ１ｂが接続されている。
【００１５】
ここで、ダイオードブリッジＤＢおよび極性反転検出回路１６の接続関係を具体的に説明すると、先ず、ダイオードブリッジＤＢを構成するダイオードＤａ、Ｄｂの接続点Ｐ１には極性反転検出回路１６を介してコイルＬ１ａの一方側が接続され、コイルＬ１ａの他方側には子機端子Ｔ１ａが接続されている。また、ダイオードＤｃ、Ｄｄの接続点Ｐ２には極性反転検出回路１６を介してコイルＬ１ｂの一方側が接続され、コイルＬ１ｂの他方側には子機端子Ｔ１ｂが接続されている。さらに、ダイオードＤａ、Ｄｃの接続点Ｐ３は極性反転検出回路１６を介して子機通話回路１９、子機電源回路１８および呼出ボタン１１に接続されている。また、ダイオードＤｂ、Ｄｄの接続点Ｐ４は子機通話回路１９、子機電源回路１８および一方側が呼出ボタン１１に接続された抵抗Ｒ３の他方側に接続されている。
【００１６】
次に、極性反転検出回路１６を構成するダイオードＤ２のアノード側は、ダイオードブリッジＤＢの接続点Ｐ１およびコイルＬ１ａの一方側に接続され、ダイオードＤ２のカソード側は、抵抗Ｒ１を介してフォトカプラＰＣを構成するダイオードＤ１のアノード側に接続されている。また、ダイオードＤ３のアノード側は、ダイオードブリッジＤＢの接続点Ｐ２およびコイルＬ１ｂの一方側に接続され、ダイオードＤ３のカソード側は、抵抗Ｒ２を介してフォトカプラＰＣを構成するダイオードＤ１のカソード側、ダイオードブリッジＤＢの接続点Ｐ３、子機通話回路１９、子機電源回路１８および呼出ボタン１１にそれぞれ接続されている。さらに、フォトカプラＰＣを構成するトランジスタＴｒは逆光補正回路１７に接続されている。
【００１７】
次に、居室親機２は、玄関子機１からの呼び出しに応じて来訪者と通話する場合に押下する通話ボタン２１と、玄関子機１からの呼び出しに応じて来訪者と通話するための親機マイク２２および親機スピーカ２３と、カメラ１４で撮像した映像を表示する映像表示装置２４と、映像送信回路１５から伝送されるＦＭ信号をＦＭ復調して映像表示装置２４へ伝送する映像受信回路２５と、玄関子機１からの呼び出しを検出する呼出検出回路２６と、伝送路Ｌの極性を反転するためのリレーから成る極性反転回路２７と、各部（回路）に電源を供給する親機電源回路２８と、各部（回路）を制御する居室親機ＣＰＵ２９と、親機通話回路３０と、玄関子機１に動作電源を供給するための子機電源供給回路３１と、玄関子機１のカメラ１４で撮像された映像が見難い場合に押下する逆光補正ボタン３２と、玄関付近をモニタする場合に押下するモニタボタン３３と、コイルＬ２ａ、Ｌ２ｂとを備えている。
【００１８】
ここで、極性反転回路２７は、切替接点ａ１、ａ２、常閉接点ｂ１、ｂ２および常開接点ｃ１、ｃ２を備えており、常閉接点ｂ２および常開接点ｃ１は親機端子Ｔ２ａに、常閉接点ｂ１および常開接点ｃ２は親機端子Ｔ２ｂに接続されている。また、切替接点ａ１は映像受信回路２５およびコイルＬ２ａの一方側に接続され、コイルＬ２ａの他方側には呼出検出回路２６、親機通話回路３０および子機電源供給回路３１が接続されている。さらに、切替接点ａ２は映像受信回路２５およびコイルＬ２ｂの一方側に接続され、コイルＬ２ｂの他方側には呼出検出回路２６、親機通話回路３０および子機電源供給回路３１が接続されている。また、居室親機ＣＰＵ２９は通話ボタン２１、映像受信回路２５、呼出検出回路２６、極性反転回路２７、親機電源回路２８、親機通話回路３０、子機電源供給回路３１、逆光補正ボタン３２およびモニタボタン３３に接続され、映像受信回路２５には映像表示装置２４が、親機通話回路３０には親機マイク２２および親機スピーカ２３が、子機電源供給回路３１には親機電源回路２８がそれぞれ接続されている。なお、この実施例においては、コイルＬ２ａ側にプラス電源が、コイルＬ２ｂ側にマイナス電源が供給されるように構成されている。
【００１９】
次に、このように構成された本発明のテレビインターホン装置の動作について説明する。
【００２０】
先ず、待受状態においては、極性反転回路２７の切替接点ａ１、ａ２は常閉接点ｂ１、ｂ２に接続されており、これにより、伝送路Ｌを介してダイオードブリッジＤＢの接続点Ｐ２および極性反転検出回路１６を構成するダイオードＤ３のアノード側にプラス電源が供給され、極性反転検出回路１６を構成するダイオードＤ２のアノード側およびダイオードブリッジＤＢの接続点Ｐ１にマイナス電源が供給されることになる。
【００２１】
この状態において、来訪者が居室内の居住者を呼出すために、玄関子機１の呼出ボタン１１を押下すると、抵抗Ｒ３に電流が流れることで、電圧が降下し、かかる電圧の降下が呼出検出回路２６で検出されると、呼出検出回路２６から呼出信号が居室親機ＣＰＵ２９へ伝送される。かかる呼出信号が居室親機ＣＰＵ２９で検出されると、居室親機ＣＰＵ２９により親機通話回路３０が制御され親機スピーカ２３から呼出音が放音される。
【００２２】
また、これと共に、居室親機ＣＰＵ２９により子機電源供給回路３１が制御され、これにより伝送路Ｌの電源電圧が上昇する。
【００２３】
かかる伝送路Ｌの電圧上昇が子機電源回路１８で検出されると、この子機電源回路１８から玄関子機１を構成する各部（回路）に動作電源が供給され、カメラ１４および映像送信回路１５が能動状態を呈する。これにより、カメラ１４によって来訪者の映像が撮像され、撮像された来訪者の映像は、映像送信回路１５においてＦＭ変調され、ＦＭ映像信号として、伝送路Ｌおよび極性反転回路２７を経由して映像受信回路２５へ伝送される。
【００２４】
かかるＦＭ映像信号は、映像受信回路２５においてＦＭ復調され映像表示装置２４へ伝送される。これにより玄関子機１のカメラ１４で撮像された来訪者の映像が映像表示装置２４に表示される。
【００２５】
ここで、居室内の居住者が、親機スピーカ２３から放音される呼出音および映像表示装置２４に表示される映像に基づいて来訪者を確認し、通話ボタン２１を押下して呼出応答すると、居室親機ＣＰＵ２９の制御により、居室親機２の親機マイク２２および親機スピーカ２３、玄関子機１の子機マイク１２および子機スピーカ１３間に通話路が形成され、これにより、居室内の居住者は来訪者と通話することができる。
【００２６】
ここで、居室内の居住者が映像表示装置２４に表示される映像が太陽光により見難い場合に逆光補正ボタン３２を押下すると、居室親機ＣＰＵ２９において逆光補正ボタン３２が押下されたことが認識され、居室親機ＣＰＵ２９から伝送路Ｌの極性を反転するための露出制御信号が極性反転回路２７へ伝送される。これにより、極性反転回路２７の切替接点ａ１、ａ２が常開接点ｃ１、ｃ２側に切り換えられ、伝送路Ｌの極性が反転される。
【００２７】
伝送路Ｌの極性が反転すると、極性反転検出回路１６を構成するダイオードＤ２のアノード側およびダイオードブリッジＤＢの接続点Ｐ１にプラス電源が供給され、ダイオードブリッジＤＢの接続点Ｐ２および極性反転検出回路１６を構成するダイオードＤ３のアノード側にマイナス電源が供給されることになる。そうすると、極性反転検出回路１６を構成するダイオードＤ２から抵抗Ｒ１を介してフォトカプラＰＣを構成するダイオードＤ１に電流が流れ、ダイオードＤ１のアノードとカソードとが導通し、これによりフォトカプラＰＣを構成するトランジスタＴｒがオフ状態からオン状態を呈する。これにより、極性反転検出回路１６において、伝送路Ｌに流れる電流（電圧）を監視することで伝送路Ｌの極性が反転したことが検出される。そして、フォトカプラＰＣを構成するトランジスタＴｒがオン状態になると、逆光補正回路１７において伝送路Ｌの極性が反転したことが認識され、逆光補正回路１７から逆光補正信号がカメラ１４へ伝送される。これにより、カメラ１４の露出補正が行なわれ、露出補正された映像は、前述と同様に、伝送路Ｌ、極性反転回路２７およびコイルＬ２ａ、Ｌ２ｂを経由して映像受信回路２５へ伝送される。これにより、居住者は、露出補正された映像を映像表示装置２４で確認することができる。
【００２８】
以上のように、本発明のテレビインターホン装置によれば、呼出時において逆光補正ボタン３２を押下することにより、居室親機ＣＰＵ２９から極性反転回路２７へ露出制御信号が伝送され、これにより、極性反転回路２７の制御、→伝送路Ｌの極性の反転→極性反転検出回路１６（フォトカプラＰＣ）における伝送路Ｌの極性の反転の検出→逆光補正回路１７の制御→カメラ１４の制御という一連の制御により、カメラ１４の逆光補正を行うことができる。従って、本発明のテレビインターホン装置によれば、玄関子機１と居室親機２間を接続する２線式の伝送路Ｌの極性を簡易な構成のリレーから成る極性反転回路２７で反転制御することができることから、従来の複雑で割高なパルスカウント方式のテレビインターホン装置に比し、簡易で割安なシステム構成で逆光補正を可能とする伝送路によるテレビインターホン装置を提供することができる。
【産業上の利用可能性】
【００２９】
前述の実施例においては、図面に示した特定の実施の形態をもって本発明を説明しているが、本発明はこれらの実施の形態に限定されるものではなく、本発明の効果を奏する限り、次のように構成してもよい。
【００３０】
第１に、前述の実施例においては、フォトカプラＰＣは通常時にオフ状態とし、逆光補正時にオン状態を呈するように構成しているが、フォトカプラＰＣは通常時にオン状態とし、逆光補正時にオフ状態を呈するように構成しても、前述と同様の作用効果を奏することができる。この場合は、伝送路Ｌを無極性とすることができる。
【００３１】
第２に、前述の実施例においては、呼出時に逆光補正ボタン３２を押下しているが、モニタボタン３３を押下して、玄関付近をモニタしているときに逆光補正ボタン３２を押下しても、前述と同様の作用効果を奏することができる。
【００３２】
第３に、前述の実施例においては、太陽光により見難い場合に逆光補正ボタン３２を押下しているが、玄関付近の背景がライトなどにより極端に明るい場合や日差しが強くて来訪者の容姿が暗くなり見え難い場合に逆光補正ボタン３２を押下してもよい。
【００３３】
第４に、前述の実施例においては、単体の映像表示装置２４を使用した場合について説明しているが、映像表示装置２４を液晶ディスプレイ（ＬＣＤ）、プラズマディスプレイ（ＰＤＰ）、ＴＦＴ液晶、有機ＥＬディスプレイなどで構成し、当該ディスプレイにタッチパネルを組み込んで、通話ボタン２１、逆光補正ボタン３２およびモニタボタン３３をディスプレイ画面上に設けてもよい。
【図面の簡単な説明】
【００３４】
【図１】本発明の一実施例におけるテレビインターホン装置のブロック図。
【符号の説明】
【００３５】
１・・・玄関子機
１１・・・呼出ボタン
１２・・・子機マイク
１３・・・子機スピーカ
１４・・・カメラ
１５・・・映像送信回路
１６・・・極性反転検出回路
１７・・・逆光補正回路
２・・・居室親機
２２・・・親機マイク
２３・・・親機スピーカ
２４・・・映像表示装置
２５・・・映像受信回路
２７・・・極性反転回路
２９・・・居室親機ＣＰＵ
３２・・・逆光補正ボタン
Ｌ・・・伝送路
【図１】
2009225230.tif 000003